(57)【要約】【課題】歌が上手くない人であっても適切な検索キーが容易に作成でき、所望する楽曲についての情報が得られるようにすること。【解決手段】検索センタ３のデータベース（ＤＢ）３Ｂに、楽曲の主旋律を抽出して符号化することで生成した主旋律コードファイルを、少なくとも当該楽曲の曲名を含む楽曲詳細情報と共に、多数蓄積しておき、ユーザ端末２（携帯電話２Ａ）で番号キー２Ａ１の組み合わせ入力パターンにより、検索を所望する楽曲の主旋律データを生成して、ネットワーク１を介して検索センタ３のサーバ３Ａに送信すると、サーバ３Ａは、それを上記主旋律コードファイルの形式と同形式のコードファイルに変換して上記ＤＢ３Ｂを検索し、その検索結果を、対応する楽曲詳細情報と共に上記ネットワーク１を介して上記携帯電話２Ａに送信する。【選択図】　　図１
2004094424.tif 000002
【特許請求の範囲】
【請求項１】
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
番号キーの組み合わせ入力パターンにより、検索を所望する楽曲の主旋律データを生成する手段を備えた携帯電話と、
上記携帯電話よりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記携帯電話に出力する検索結果出力手段と、
を具備することを特徴する楽曲検索システム。
【請求項２】
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
バーコードと音符を関連付けた入力シートと、
上記入力シート上の上記バーコードを読み取るバーコードリーダと、
上記バーコードリーダによる上記バーコードの読み取り組み合わせパターンにより、検索を所望する楽曲の主旋律データを生成する手段を備えた携帯電話と、
上記携帯電話よりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記携帯電話に出力する検索結果出力手段と、
を具備することを特徴する楽曲検索システム。
【請求項３】
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
バーコードと音符を関連付けた入力シートと、
上記入力シート上の上記バーコードを読み取るバーコードリーダと、
上記バーコードリーダによる上記バーコードの読み取り組み合わせパターンにより、検索を所望する楽曲の主旋律データを生成するパーソナルコンピュータと、
上記パーソナルコンピュータよりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記パーソナルコンピュータに出力する検索結果出力手段と、
を具備することを特徴する楽曲検索システム。
【請求項４】
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
楽譜形式の入力が可能なユーザインターフェースを備えたＷｅｂページと、
上記Ｗｅｂページを表示し、上記ユーザインターフェースにより入力された楽譜から、検索を所望する楽曲の主旋律データを生成するパーソナルコンピュータと、
上記パーソナルコンピュータよりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記パーソナルコンピュータに出力する検索結果出力手段と、
を具備することを特徴する楽曲検索システム。
【請求項５】
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
検索を所望する楽曲の少なくとも一部を含むサウンドファイルと、
音声認識により上記サウンドファイルから主旋律を抽出して、検索を所望する楽曲の主旋律データを生成するパーソナルコンピュータと、
上記パーソナルコンピュータよりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記パーソナルコンピュータに出力する検索結果出力手段と、
を具備することを特徴する楽曲検索システム。
【請求項６】
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
楽曲演奏用の楽器と、
上記楽器によって演奏されている検索を所望する楽曲の音を入力し、音声認識により上記入力した楽曲の音から主旋律を抽出して、検索を所望する楽曲の主旋律データを生成するパーソナルコンピュータと、
上記パーソナルコンピュータよりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記パーソナルコンピュータに出力する検索結果出力手段と、
を具備することを特徴する楽曲検索システム。
【請求項７】
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
楽曲演奏操作に応じて音を表す信号を出力するコンピュータ入力用楽器と、
上記コンピュータ入力用楽器での検索を所望する楽曲の演奏に伴って上記コンピュータ入力用楽器から入力された信号に従って、検索を所望する楽曲の主旋律データを生成するパーソナルコンピュータと、
上記パーソナルコンピュータよりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記パーソナルコンピュータに出力する検索結果出力手段と、
を具備することを特徴する楽曲検索システム。
【請求項８】
楽曲の主旋律を抽出して符号化することで生成した主旋律コードファイルを多数蓄積するデータベースと、
番号キーの組み合わせ入力パターンにより、検索を所望する楽曲の主旋律データを生成する手段を備えた携帯電話と、
上記携帯電話よりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、上記携帯電話の着信メロディ用のコードに変換する着メロ変換手段と、
上記着メロ変換手段で変換された着信メロディ用コードを上記ネットワークを介して上記携帯電話に出力する検索結果出力手段と、
を具備することを特徴する楽曲検索システム。
【請求項９】
楽曲の主旋律を抽出して符号化することで生成した主旋律コードファイルを多数蓄積するデータベースと、
バーコードと音符を関連付けた入力シートと、
上記入力シート上の上記バーコードを読み取るバーコードリーダと、
上記バーコードリーダによる上記バーコードの読み取り組み合わせパターンにより、検索を所望する楽曲の主旋律データを生成する手段を備えた携帯電話と、
上記携帯電話よりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、上記携帯電話の着信メロディ用のコードに変換する着メロ変換手段と、
上記着メロ変換手段で変換された着信メロディ用コードを上記ネットワークを介して上記携帯電話に出力する検索結果出力手段と、
を具備することを特徴する楽曲検索システム。
【請求項１０】
楽曲の主旋律を抽出する主旋律抽出手段と、
上記主旋律抽出手段によって抽出された楽曲の主旋律を符号化し、主旋律コードファイルを作成する符号化手段と、
上記符号化手段によって作成された主旋律コードファイルを、当該楽曲の楽曲詳細情報と共に上記データベースに登録する登録手段と、
を更に具備することを特徴とする請求項１乃至９の何れかに記載の楽曲検索システム。
【請求項１１】
上記携帯電話または上記パーソナルコンピュータより入力された上記主旋律データを、上記ネットワークを介して上記携帯電話または上記パーソナルコンピュータに音として再生出力させる再生手段を更に具備し、
上記携帯電話または上記パーソナルコンピュータは、
上記主旋律データを上記ネットワークを介して修正入力し、その修正後の主旋律データを上記再生手段に上記ネットワークを介して再生出力させる機能と、
最初に入力した主旋律データまたは上記修正後の主旋律データによる検索を上記ネットワークを介して上記変換手段に指示するための機能と、
を備え、
上記変換手段は、上記携帯電話または上記パーソナルコンピュータからの検索指示に応じて、その指示された主旋律データを、上記データベースに蓄積された主旋律コードファイルの形式と同形式のコードファイルに変換する、
ことを特徴とする請求項１乃至９の何れかに記載の楽曲検索システム。
【請求項１２】
上記データベースは、上記主旋律コードファイルのそれぞれについて、上記楽曲詳細情報に加えて、少なくとも当該楽曲を販売するオンラインショッピングサイトへのリンク情報及び当該楽曲の商品番号を含む購入先情報を蓄積し、
上記検索結果出力手段は、上記検索された主旋律コードファイル及び楽曲詳細情報と共に、対応する購入先情報も上記携帯電話または上記パーソナルコンピュータに送信出力し、
上記携帯電話または上記パーソナルコンピュータは、上記購入先情報に従って、上記検索された楽曲を販売するオンラインショッピングサイトに接続し、当該楽曲の購入手続きを行なえるよう構成されている、
ことを特徴とする請求項１乃至７の何れかに記載の楽曲検索システム。
【請求項１３】
上記検索された楽曲を販売するオンラインショッピングサイトに対し、上記検索の結果として上記携帯電話または上記パーソナルコンピュータが上記オンラインショッピングサイトに接続したことを通知する通知手段を更に具備することを特徴とする請求項１２に記載の楽曲検索システム。
【請求項１４】
検索を所望する楽曲の主旋律データを端末からネットワークを介して受信する主旋律データ受信手段と、
楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに、上記主旋律データ受信手段で受信した上記主旋律データを変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記端末に出力する検索結果出力手段と、
を具備することを特徴するサーバ。
【請求項１５】
検索を所望する楽曲の主旋律データを携帯電話からネットワークを介して受信する主旋律データ受信手段と、
楽曲の主旋律を抽出して符号化することで生成した主旋律コードファイルを多数蓄積するデータベースに蓄積された主旋律コードファイルの形式と同形式のコードファイルに、上記主旋律データ受信手段で受信した上記主旋律データを変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、上記携帯電話の着信メロディ用のコードに変換する着メロ変換手段と、
上記着メロ変換手段で変換された着信メロディ用コードを上記ネットワークを介して上記携帯電話に出力する検索結果出力手段と、
を具備することを特徴するサーバ。
【請求項１６】
上記主旋律データ受信手段で受信した上記主旋律データを、上記ネットワークを介して上記端末または上記携帯電話に音として再生出力させる再生手段を更に具備し、
上記端末または上記携帯電話は、
上記主旋律データを上記ネットワークを介して修正入力し、その修正後の主旋律データを上記再生手段に上記ネットワークを介して再生出力させる機能と、
最初に入力した主旋律データまたは上記修正後の主旋律データによる検索を上記ネットワークを介して上記変換手段に指示するための機能と、
を備え、
上記変換手段は、上記端末または上記携帯電話からの検索指示に応じて、その指示された主旋律データを、上記データベースに蓄積された主旋律コードファイルの形式と同形式のコードファイルに変換する、
ことを特徴とする請求項１４または１５に記載のサーバ。
【請求項１７】
上記データベースは、上記主旋律コードファイルのそれぞれについて、上記楽曲詳細情報に加えて、少なくとも当該楽曲を販売するオンラインショッピングサイトへのリンク情報及び当該楽曲の商品番号を含む購入先情報を蓄積し、
上記検索結果出力手段は、上記検索された主旋律コードファイル及び楽曲詳細情報と共に、対応する購入先情報も上記端末に送信出力することで、上記端末に、上記購入先情報に従って、上記検索された楽曲を販売するオンラインショッピングサイトに接続して、当該楽曲の購入手続きを行なえるよう構成されている、
ことを特徴とする請求項１４に記載のサーバ。
【請求項１８】
上記検索された楽曲を販売するオンラインショッピングサイトに対し、上記検索の結果として上記端末が上記オンラインショッピングサイトに接続したことを通知する通知手段を更に具備することを特徴とする請求項１７に記載のサーバ。
【請求項１９】
番号キーと、
上記番号キーの組み合わせ入力パターンにより、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させる、送信手段と、
上記サーバから、検索された主旋律コードファイルを対応する楽曲詳細情報と共に上記ネットワークを介して受信する検索結果受信手段と、
を具備することを特徴する端末。
【請求項２０】
バーコードと音符を関連付けた入力シート上の上記バーコードを読み取るバーコードリーダによる上記バーコードの読み取り組み合わせパターンにより、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させる、送信手段と、
上記サーバから、検索された主旋律コードファイルを対応する楽曲詳細情報と共に上記ネットワークを介して受信する検索結果受信手段と、
を具備することを特徴する端末。
【請求項２１】
楽譜形式の入力が可能なユーザインターフェースを備えたＷｅｂページを表示し、上記ユーザインターフェースにより入力された楽譜から、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させる、送信手段と、
上記サーバから、検索された主旋律コードファイルを対応する楽曲詳細情報と共に上記ネットワークを介して受信する検索結果受信手段と、
を具備することを特徴する端末。
【請求項２２】
検索を所望する楽曲の少なくとも一部を含むサウンドファイルから音声認識により主旋律を抽出して、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させる、送信手段と、
上記サーバから、検索された主旋律コードファイルを対応する楽曲詳細情報と共に上記ネットワークを介して受信する検索結果受信手段と、
を具備することを特徴する端末。
【請求項２３】
楽曲演奏用の楽器によって演奏されている検索を所望する楽曲の音を入力し、音声認識により上記入力した楽曲の音から主旋律を抽出して、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させる、送信手段と、
上記サーバから、検索された主旋律コードファイルを対応する楽曲詳細情報と共に上記ネットワークを介して受信する検索結果受信手段と、
を具備することを特徴する端末。
【請求項２４】
楽曲演奏操作に応じて音を表す信号を出力するコンピュータ入力用楽器での、検索を所望する楽曲の演奏に伴って、上記コンピュータ入力用楽器から入力された信号に従って、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させる、送信手段と、
上記サーバから、検索された主旋律コードファイルを対応する楽曲詳細情報と共に上記ネットワークを介して受信する検索結果受信手段と、
を具備することを特徴する端末。
【請求項２５】
番号キーと、
上記番号キーの組み合わせ入力パターンにより、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させ、その検索された主旋律コードファイルを携帯電話の着信メロディ用のコードに変換させる、送信手段と、
上記サーバから、上記着信メロディ用コードを上記ネットワークを介して受信する着メロ受信手段と、
を具備することを特徴する端末。
【請求項２６】
バーコードと音符を関連付けた入力シート上の上記バーコードを読み取るバーコードリーダによる上記バーコードの読み取り組み合わせパターンにより、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させ、その検索された主旋律コードファイルを携帯電話の着信メロディ用のコードに変換させる、送信手段と、
上記サーバから、上記着信メロディ用コードを上記ネットワークを介して受信する着メロ受信手段と、
を具備することを特徴する端末。
【請求項２７】
上記サーバからの制御により、上記サーバに送信した上記主旋律データを音として再生出力する再生手段と、
上記サーバに送信した上記主旋律データを上記ネットワークを介して修正入力する修正手段と、
最初に送信した主旋律データまたは上記修正後の主旋律データによる検索を上記ネットワークを介して上記サーバに指示する指示手段と、
を更に具備することを特徴とする請求項１９乃至２６の何れかに記載の端末。
【請求項２８】
上記データベースは、上記主旋律コードファイルのそれぞれについて、上記楽曲詳細情報に加えて、少なくとも当該楽曲を販売するオンラインショッピングサイトへのリンク情報及び当該楽曲の商品番号を含む購入先情報を蓄積しており、
上記検索結果受信手段は、上記サーバより、上記検索された主旋律コードファイル及び楽曲詳細情報と共に、対応する購入先情報も受信し、
上記検索結果受信手段で受信した上記購入先情報に従って、上記検索された楽曲を販売するオンラインショッピングサイトに接続する自動接続手段を更に具備する、
ことを特徴とする請求項１９乃至２４の何れかに記載の端末。
【発明の詳細な説明】
【０００１】
【発明の属する技術分野】
本発明は、曲名は判らないが聞いたことの有る楽曲を検索する楽曲検索システム、及び、そのシステムに用いられるサーバ及び端末に関する。
【０００２】
【従来の技術】
テレビ番組やコマーシャル、ラジオ放送等で楽曲を耳にし、それが気に入って、その楽曲のＣＤ等を購入を望む場合が多々存在する。
【０００３】
しかし、その楽曲の曲名や歌手名が判らないときには、そのＣＤ等の購入は非常に難しいこととなる。
【０００４】
そこで、記憶しているメロディの一部を、歌、口笛、ハミング等の音声で入力し、その音声に基づいて楽曲の検索を行なう楽曲検索装置が、従来より各種提案されている。
【０００５】
しかしながら、そのような楽曲検索装置は、マイクロフォンから採取した音声情報を検索キーとして楽曲を検索するものであるため、歌が上手くない人の場合、適切な検索キーが作成できず、検索が不可能になってしまう。
【０００６】
これを解決するために、特開平１１−１２０１９８号公報には、音声入力手段から入力した音声を、使用者が修正できるようにした楽曲検索装置が提案されている。
【０００７】
即ち、この公報に開示の楽曲検索装置は、検索したい楽曲の旋律の一部又は全部として音声による旋律を１回又は複数回にわたって入力することができる音声入力手段と、この音声入力手段から入力された音声による旋律を解析し、旋律を構成する楽音の音律を判別する旋律解析手段と、この旋律解析手段で判別された音律を他の音律に修正することができる修正手段とを備えるものである。ここで、上記音声入力手段による音声（歌、口笛、ハミング等）の入力は複数回に分けて実行できることで、和音やハーモニーの入力も可能としており、また、上記修正手段により例えばキー操作や音声再入力などにより、入力した音声を修正できるようにすることで、容易に正しく旋律を入力できるようにしている。更に、この楽曲検索装置は、少なくとも各種楽曲の曲名をその楽曲の旋律に関する情報とともに保持する検索データベース手段と、上記旋律解析手段で判別された音律もしくは上記修正手段で修正された音律により構成される旋律に基づいた検索情報により、上記検索データベース手段を検索し、上記音声入力手段で入力された音声に該当する楽曲の曲名を判別する検索手段とにより、入力された旋律に基づいた楽曲検索が行なわれるようにしている。ここで、検索情報は例えば音程や音律変化の情報とすることで、絶対音階として旋律が正しく入力されなくても、適切に楽曲の検索が実行されるようにしている。また、検索結果を使用者に提供するために、上記検索手段で判別された曲名を出力する検索結果出力手段も備えている。さらに、検索結果として曲名だけでなく実際の音楽も出力されることで、使用者は求めた曲であるか否かが正確に認識できるようになっている。
【０００８】
【発明が解決しようとする課題】
上記のように、特開平１１−１２０１９８号公報に開示の楽曲検索装置では、音声入力手段から入力した音声を使用者が修正できるものであるが、その使用者が歌が上手くない場合には、修正しなければならない部分が多数になり、その修正作業に非常に手間取ることになる。
【０００９】
本発明は、上記の点に鑑みてなされたもので、歌が上手くない人であっても適切な検索キーが容易に作成でき、所望する楽曲についての情報が得られる楽曲検索システムとそれに用いられるサーバ及び端末を提供することを目的とする。
【００１０】
【課題を解決するための手段】
本発明はかかる課題を解決するものであり、請求項１の発明は、
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
番号キーの組み合わせ入力パターンにより、検索を所望する楽曲の主旋律データを生成する手段を備えた携帯電話と、
上記携帯電話よりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記携帯電話に出力する検索結果出力手段と、
を具備することを特徴する楽曲検索システムとしたものである。
【００１１】
即ち、かかる楽曲検索システムによれば、携帯電話の番号キーの組み合わせ入力パターンにより、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【００１２】
また、請求項２の発明は、
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
バーコードと音符を関連付けた入力シートと、
上記入力シート上の上記バーコードを読み取るバーコードリーダと、
上記バーコードリーダによる上記バーコードの読み取り組み合わせパターンにより、検索を所望する楽曲の主旋律データを生成する手段を備えた携帯電話と、
上記携帯電話よりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記携帯電話に出力する検索結果出力手段と、
を具備することを特徴する楽曲検索システムとしたものである。
【００１３】
即ち、かかる楽曲検索システムによれば、携帯電話に接続したバーコードリーダにより、バーコードと音符を関連付けた入力シート上の上記バーコードを読み取ることで、そのバーコードの読み取り組み合わせパターンにより、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【００１４】
また、請求項３の発明は、
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
バーコードと音符を関連付けた入力シートと、
上記入力シート上の上記バーコードを読み取るバーコードリーダと、
上記バーコードリーダによる上記バーコードの読み取り組み合わせパターンにより、検索を所望する楽曲の主旋律データを生成するパーソナルコンピュータと、
上記パーソナルコンピュータよりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記パーソナルコンピュータに出力する検索結果出力手段と、
を具備することを特徴する楽曲検索システムとしたものである。
【００１５】
即ち、かかる楽曲検索システムによれば、パーソナルコンピュータに接続したバーコードリーダにより、バーコードと音符を関連付けた入力シート上の上記バーコードを読み取ることで、そのバーコードの読み取り組み合わせパターンにより、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【００１６】
また、請求項４の発明は、
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
楽譜形式の入力が可能なユーザインターフェースを備えたＷｅｂページと、
上記Ｗｅｂページを表示し、上記ユーザインターフェースにより入力された楽譜から、検索を所望する楽曲の主旋律データを生成するパーソナルコンピュータと、
上記パーソナルコンピュータよりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記パーソナルコンピュータに出力する検索結果出力手段と、
を具備することを特徴する楽曲検索システムとしたものである。
【００１７】
即ち、かかる楽曲検索システムによれば、パーソナルコンピュータにより、楽譜形式の入力が可能なユーザインターフェースを備えたＷｅｂページを表示し、上記ユーザインターフェースにより入力された楽譜から、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【００１８】
また、請求項５の発明は、
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
検索を所望する楽曲の少なくとも一部を含むサウンドファイルと、
音声認識により上記サウンドファイルから主旋律を抽出して、検索を所望する楽曲の主旋律データを生成するパーソナルコンピュータと、
上記パーソナルコンピュータよりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記パーソナルコンピュータに出力する検索結果出力手段と、
を具備することを特徴する楽曲検索システムとしたものである。
【００１９】
即ち、かかる楽曲検索システムによれば、パーソナルコンピュータで、検索を所望する楽曲の少なくとも一部を含むサウンドファイルから音声認識により主旋律を抽出して、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【００２０】
また、請求項６の発明は、
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
楽曲演奏用の楽器と、
上記楽器によって演奏されている検索を所望する楽曲の音を入力し、音声認識により上記入力した楽曲の音から主旋律を抽出して、検索を所望する楽曲の主旋律データを生成するパーソナルコンピュータと、
上記パーソナルコンピュータよりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記パーソナルコンピュータに出力する検索結果出力手段と、
を具備することを特徴する楽曲検索システムとしたものである。
【００２１】
即ち、かかる楽曲検索システムによれば、楽曲演奏用の楽器によって演奏されている検索を所望する楽曲の音をパーソナルコンピュータに入力し、音声認識により上記入力した楽曲の音から主旋律を抽出して、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【００２２】
また、請求項７の発明は、
楽曲の主旋律を抽出して符号化することで生成した主旋律コードファイルを、少なくとも当該主旋律コードファイルの元となった楽曲の曲名を含む楽曲詳細情報と共に、多数蓄積するデータベースと、
楽曲演奏操作に応じて音を表す信号を出力するコンピュータ入力用楽器と、
上記コンピュータ入力用楽器での検索を所望する楽曲の演奏に伴って上記コンピュータ入力用楽器から入力された信号に従って、検索を所望する楽曲の主旋律データを生成するパーソナルコンピュータと、
上記パーソナルコンピュータよりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記パーソナルコンピュータに出力する検索結果出力手段と、
を具備することを特徴する楽曲検索システムとしたものである。
【００２３】
即ち、かかる楽曲検索システムによれば、楽曲演奏操作に応じて音を表す信号を出力するコンピュータ入力用楽器での検索を所望する楽曲の演奏に伴って上記コンピュータ入力用楽器から入力された信号に従って、パーソナルコンピュータで、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【００２４】
また、請求項８の発明は、
楽曲の主旋律を抽出して符号化することで生成した主旋律コードファイルを多数蓄積するデータベースと、
番号キーの組み合わせ入力パターンにより、検索を所望する楽曲の主旋律データを生成する手段を備えた携帯電話と、
上記携帯電話よりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、上記携帯電話の着信メロディ用のコードに変換する着メロ変換手段と、
上記着メロ変換手段で変換された着信メロディ用コードを上記ネットワークを介して上記携帯電話に出力する検索結果出力手段と、
を具備することを特徴する楽曲検索システムとしたものである。
【００２５】
即ち、かかる楽曲検索システムによれば、携帯電話の番号キーの組み合わせ入力パターンにより、検索を所望する楽曲の主旋律データを生成し、この生成された主旋律データを、データベースに蓄積された主旋律コードファイルの形式と同形式のコードファイルに変換して、検索キーとして使用してデータベースの検索を実行し、検索された主旋律コードファイルを、上記携帯電話の着信メロディ用のコードに変換して上記携帯電話に送信するようにしているので、歌が上手くない人であっても適切な検索キーが容易に作成でき、所望する楽曲の着信メロディ用コードを得ることが可能になる。
【００２６】
また、請求項９の発明は、
楽曲の主旋律を抽出して符号化することで生成した主旋律コードファイルを多数蓄積するデータベースと、
バーコードと音符を関連付けた入力シートと、
上記入力シート上の上記バーコードを読み取るバーコードリーダと、
上記バーコードリーダによる上記バーコードの読み取り組み合わせパターンにより、検索を所望する楽曲の主旋律データを生成する手段を備えた携帯電話と、上記携帯電話よりネットワークを介して入力した上記主旋律データを、上記データベースに蓄積された主旋律コードファイルの形式と同形式のコードファイルに変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、上記携帯電話の着信メロディ用のコードに変換する着メロ変換手段と、
上記着メロ変換手段で変換された着信メロディ用コードを上記ネットワークを介して上記携帯電話に出力する検索結果出力手段と、
を具備することを特徴する楽曲検索システムとしたものである。
【００２７】
即ち、かかる楽曲検索システムによれば、携帯電話に接続したバーコードリーダにより、バーコードと音符を関連付けた入力シート上の上記バーコードを読み取ることで、そのバーコードの読み取り組み合わせパターンにより、検索を所望する楽曲の主旋律データを生成し、この生成された主旋律データを、データベースに蓄積された主旋律コードファイルの形式と同形式のコードファイルに変換して、検索キーとして使用してデータベースの検索を実行し、検索された主旋律コードファイルを、上記携帯電話の着信メロディ用のコードに変換して上記携帯電話に送信するようにしているので、歌が上手くない人であっても適切な検索キーが容易に作成でき、所望する楽曲の着信メロディ用コードを得ることが可能になる。
【００２８】
また、請求項１０の発明は、
楽曲の主旋律を抽出する主旋律抽出手段と、
上記主旋律抽出手段によって抽出された楽曲の主旋律を符号化し、主旋律コードファイルを作成する符号化手段と、
上記符号化手段によって作成された主旋律コードファイルを、当該楽曲の楽曲詳細情報と共に上記データベースに登録する登録手段と、
を更に具備することを特徴とする請求項１乃至９の何れかに記載の楽曲検索システムとしたものである。
【００２９】
即ち、かかる楽曲検索システムによれば、楽曲から主旋律を抽出し符号化した主旋律コードファイルをデータベースに蓄積するようにしているので、データ容量が小さいため、１つのサーバで多くのデータを扱うことができ、更には、ネットワーク上での伝送効率も高くすることかできる。
【００３０】
また、請求項１１の発明は、
上記携帯電話または上記パーソナルコンピュータより入力された上記主旋律データを、上記ネットワークを介して上記携帯電話または上記パーソナルコンピュータに音として再生出力させる再生手段を更に具備し、
上記携帯電話または上記パーソナルコンピュータは、
上記主旋律データを上記ネットワークを介して修正入力し、その修正後の主旋律データを上記再生手段に上記ネットワークを介して再生出力させる機能と、最初に入力した主旋律データまたは上記修正後の主旋律データによる検索を上記ネットワークを介して上記変換手段に指示するための機能と、
を備え、
上記変換手段は、上記携帯電話または上記パーソナルコンピュータからの検索指示に応じて、その指示された主旋律データを、上記データベースに蓄積された主旋律コードファイルの形式と同形式のコードファイルに変換する、
ことを特徴とする請求項１乃至９の何れかに記載の楽曲検索システムとしたものである。
【００３１】
即ち、かかる楽曲検索システムによれば、入力された主旋律データを音として再生出力してユーザのイメージするものとなっているか否かを確認させ、イメージに合致するように修正した上で検索を実行するようにしているので、ユーザが所望する正しい楽曲がより検索されるようになる。
【００３２】
また、請求項１２の発明は、
上記データベースは、上記主旋律コードファイルのそれぞれについて、上記楽曲詳細情報に加えて、少なくとも当該楽曲を販売するオンラインショッピングサイトへのリンク情報及び当該楽曲の商品番号を含む購入先情報を蓄積し、
上記検索結果出力手段は、上記検索された主旋律コードファイル及び楽曲詳細情報と共に、対応する購入先情報も上記携帯電話または上記パーソナルコンピュータに送信出力し、
上記携帯電話または上記パーソナルコンピュータは、上記購入先情報に従って、上記検索された楽曲を販売するオンラインショッピングサイトに接続し、当該楽曲の購入手続きを行なえるよう構成されている、
ことを特徴とする請求項１乃至７の何れかに記載の楽曲検索システムとしたものである。
【００３３】
即ち、かかる楽曲検索システムによれば、検索された楽曲を販売するオンラインショッピングサイトにユーザの端末を自動的に接続させるようにしているので、ユーザの手間を省くことができる。
【００３４】
また、請求項１３の発明は、
上記検索された楽曲を販売するオンラインショッピングサイトに対し、上記検索の結果として上記携帯電話または上記パーソナルコンピュータが上記オンラインショッピングサイトに接続したことを通知する通知手段を更に具備することを特徴とする請求項１２に記載の楽曲検索システムとしたものである。
【００３５】
即ち、かかる楽曲検索システムによれば、検索されたことをオンラインショッピングサイトに通知するようにしているので、当該検索サービスを利用したユーザのアクセスをオンラインショッピングサイト側で知ることができるようになる。これにより、例えば当該検索サービスの利用料金をユーザからではなくオンラインショッピングサイト側から徴収することも可能となる。
【００３６】
また、請求項１４の発明は、
検索を所望する楽曲の主旋律データを端末からネットワークを介して受信する主旋律データ受信手段と、
楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに、上記主旋律データ受信手段で受信した上記主旋律データを変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、対応する楽曲詳細情報と共に、上記ネットワークを介して上記端末に出力する検索結果出力手段と、
を具備することを特徴するサーバとしたものである。
【００３７】
即ち、かかるサーバによれば、端末から検索を所望する楽曲の主旋律データを受信し、それを、データベースに蓄積された主旋律コードファイルの形式と同形式のコードファイルに変換して、検索キーとして使用するようにしているので、ユーザは所望する楽曲についての情報が容易に得られるようになる。また、データベースには、楽曲から主旋律を抽出し符号化した主旋律コードファイルを蓄積するようにしているので、データ容量が小さいため、１つのサーバで多くのデータを扱うことができ、更には、ネットワーク上での伝送効率も高くすることかできる。
【００３８】
また、請求項１５の発明は、
検索を所望する楽曲の主旋律データを携帯電話からネットワークを介して受信する主旋律データ受信手段と、
楽曲の主旋律を抽出して符号化することで生成した主旋律コードファイルを多数蓄積するデータベースに蓄積された主旋律コードファイルの形式と同形式のコードファイルに、上記主旋律データ受信手段で受信した上記主旋律データを変換する変換手段と、
上記変換手段で変換された主旋律データのコードファイルと上記データベースに蓄積された多数の主旋律コードファイルとの照合を行なって対応する主旋律コードファイルを検索する検索手段と、
上記検索手段によって検索された主旋律コードファイルを、上記携帯電話の着信メロディ用のコードに変換する着メロ変換手段と、
上記着メロ変換手段で変換された着信メロディ用コードを上記ネットワークを介して上記携帯電話に出力する検索結果出力手段と、
を具備することを特徴するサーバとしたものである。
【００３９】
即ち、かかるサーバによれば、端末から検索を所望する楽曲の主旋律データを受信し、それを、データベースに蓄積された主旋律コードファイルの形式と同形式のコードファイルに変換して、検索キーとして使用してデータベースの検索を実行し、検索された主旋律コードファイルを、上記携帯電話の着信メロディ用のコードに変換して上記携帯電話に送信するようにしているので、ユーザは所望する楽曲の着信メロディ用コードを容易に得ることが可能になる。
【００４０】
また、請求項１６の発明は、
上記主旋律データ受信手段で受信した上記主旋律データを、上記ネットワークを介して上記端末または上記携帯電話に音として再生出力させる再生手段を更に具備し、
上記端末または上記携帯電話は、
上記主旋律データを上記ネットワークを介して修正入力し、その修正後の主旋律データを上記再生手段に上記ネットワークを介して再生出力させる機能と、最初に入力した主旋律データまたは上記修正後の主旋律データによる検索を上記ネットワークを介して上記変換手段に指示するための機能と、
を備え、
上記変換手段は、上記端末または上記携帯電話からの検索指示に応じて、その指示された主旋律データを、上記データベースに蓄積された主旋律コードファイルの形式と同形式のコードファイルに変換する、
ことを特徴とする請求項１４または１５に記載のサーバとしたものである。
【００４１】
即ち、かかるサーバによれば、入力された主旋律データを音として再生出力してユーザのイメージするものとなっているか否かを確認させ、イメージに合致するように修正した上で検索を実行するようにしているので、ユーザが所望する正しい楽曲がより検索されるようになる。
【００４２】
また、請求項１７の発明は、
上記データベースは、上記主旋律コードファイルのそれぞれについて、上記楽曲詳細情報に加えて、少なくとも当該楽曲を販売するオンラインショッピングサイトへのリンク情報及び当該楽曲の商品番号を含む購入先情報を蓄積し、
上記検索結果出力手段は、上記検索された主旋律コードファイル及び楽曲詳細情報と共に、対応する購入先情報も上記端末に送信出力することで、上記端末に、上記購入先情報に従って、上記検索された楽曲を販売するオンラインショッピングサイトに接続して、当該楽曲の購入手続きを行なえるよう構成されている、
ことを特徴とする請求項１４に記載のサーバとしたものである。
【００４３】
即ち、かかるサーバによれば、検索された楽曲を販売するオンラインショッピングサイトにユーザの端末を自動的に接続させるようにしているので、ユーザの手間を省くことができる。
【００４４】
また、請求項１８の発明は、
上記検索された楽曲を販売するオンラインショッピングサイトに対し、上記検索の結果として上記端末が上記オンラインショッピングサイトに接続したことを通知する通知手段を更に具備することを特徴とする請求項１７に記載のサーバとしたものである。
【００４５】
即ち、かかるサーバによれば、検索されたことをオンラインショッピングサイトに通知するようにしているので、当該検索サービスを利用したユーザのアクセスをオンラインショッピングサイト側で知ることができるようになる。これにより、例えば当該検索サービスの利用料金をユーザからではなくオンラインショッピングサイト側から徴収することも可能となる。
【００４６】
また、請求項１９の発明は、
番号キーと、
上記番号キーの組み合わせ入力パターンにより、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させる、送信手段と、
上記サーバから、検索された主旋律コードファイルを対応する楽曲詳細情報と共に上記ネットワークを介して受信する検索結果受信手段と、
を具備することを特徴する端末としたものである。
【００４７】
即ち、かかる端末によれば、番号キーの組み合わせ入力パターンにより、検索を所望する楽曲の主旋律データを生成し、これをサーバに送信することで検索が行なわれるようにしているので、歌が上手くない人であっても適切な検索キーが容易に作成でき、所望する楽曲についての情報が得られるようになる。
【００４８】
また、請求項２０の発明は、
バーコードと音符を関連付けた入力シート上の上記バーコードを読み取るバーコードリーダによる上記バーコードの読み取り組み合わせパターンにより、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させる、送信手段と、
上記サーバから、検索された主旋律コードファイルを対応する楽曲詳細情報と共に上記ネットワークを介して受信する検索結果受信手段と、
を具備することを特徴する端末としたものである。
【００４９】
即ち、かかる端末によれば、バーコードリーダにより、バーコードと音符を関連付けた入力シート上の上記バーコードを読み取ることで、そのバーコードの読み取り組み合わせパターンにより、検索を所望する楽曲の主旋律データを生成し、これをサーバに送信することで検索が行なわれるようにしているので、歌が上手くない人であっても適切な検索キーが容易に作成でき、所望する楽曲についての情報が得られるようになる。
【００５０】
また、請求項２１の発明は、
楽譜形式の入力が可能なユーザインターフェースを備えたＷｅｂページを表示し、上記ユーザインターフェースにより入力された楽譜から、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させる、送信手段と、
上記サーバから、検索された主旋律コードファイルを対応する楽曲詳細情報と共に上記ネットワークを介して受信する検索結果受信手段と、
を具備することを特徴する端末としたものである。
【００５１】
即ち、かかる端末によれば、楽譜形式の入力が可能なユーザインターフェースを備えたＷｅｂページを表示し、上記ユーザインターフェースにより入力された楽譜から、検索を所望する楽曲の主旋律データを生成し、これをサーバに送信することで検索が行なわれるようにしているので、歌が上手くない人であっても適切な検索キーが容易に作成でき、所望する楽曲についての情報が得られるようになる。
【００５２】
また、請求項２２の発明は、
検索を所望する楽曲の少なくとも一部を含むサウンドファイルから音声認識により主旋律を抽出して、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させる、送信手段と、
上記サーバから、検索された主旋律コードファイルを対応する楽曲詳細情報と共に上記ネットワークを介して受信する検索結果受信手段と、
を具備することを特徴する端末としたものである。
【００５３】
即ち、かかる端末によれば、検索を所望する楽曲の少なくとも一部を含むサウンドファイルから音声認識により主旋律を抽出して、検索を所望する楽曲の主旋律データを生成し、これをサーバに送信することで検索が行なわれるようにしているので、歌が上手くない人であっても適切な検索キーが容易に作成でき、所望する楽曲についての情報が得られるようになる。
【００５４】
また、請求項２３の発明は、
楽曲演奏用の楽器によって演奏されている検索を所望する楽曲の音を入力し、音声認識により上記入力した楽曲の音から主旋律を抽出して、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させる、送信手段と、
上記サーバから、検索された主旋律コードファイルを対応する楽曲詳細情報と共に上記ネットワークを介して受信する検索結果受信手段と、
を具備することを特徴する端末としたものである。
【００５５】
即ち、かかる端末によれば、楽曲演奏用の楽器によって演奏されている検索を所望する楽曲の音を入力し、音声認識により上記入力した楽曲の音から主旋律を抽出して、検索を所望する楽曲の主旋律データを生成し、これをサーバに送信することで検索が行なわれるようにしているので、歌が上手くない人であっても適切な検索キーが容易に作成でき、所望する楽曲についての情報が得られるようになる。
【００５６】
また、請求項２４の発明は、
楽曲演奏操作に応じて音を表す信号を出力するコンピュータ入力用楽器での、検索を所望する楽曲の演奏に伴って、上記コンピュータ入力用楽器から入力された信号に従って、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを少なくとも当該主旋律コードファイルの元となった楽曲の曲名を含む楽曲詳細情報と共に多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させる、送信手段と、
上記サーバから、検索された主旋律コードファイルを対応する楽曲詳細情報と共に上記ネットワークを介して受信する検索結果受信手段と、
を具備することを特徴する端末としたものである。
【００５７】
即ち、かかる端末によれば、楽曲演奏操作に応じて音を表す信号を出力するコンピュータ入力用楽器での検索を所望する楽曲の演奏に伴って上記コンピュータ入力用楽器から入力された信号に従って、検索を所望する楽曲の主旋律データを生成し、これをサーバに送信することで検索が行なわれるようにしているので、歌が上手くない人であっても適切な検索キーが容易に作成でき、所望する楽曲についての情報が得られるようになる。
【００５８】
また、請求項２５の発明は、
番号キーと、
上記番号キーの組み合わせ入力パターンにより、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させ、その検索された主旋律コードファイルを携帯電話の着信メロディ用のコードに変換させる、送信手段と、
上記サーバから、上記着信メロディ用コードを上記ネットワークを介して受信する着メロ受信手段と、
を具備することを特徴する端末としたものである。
【００５９】
即ち、かかる端末によれば、番号キーの組み合わせ入力パターンにより、検索を所望する楽曲の主旋律データを生成し、これをサーバに送信することで検索が行なわれ、その検索された主旋律コードファイルから変換した携帯電話の着信メロディ用のコードが上記サーバから送られてくるようにしているので、歌が上手くない人であっても適切な検索キーが容易に作成でき、所望する楽曲の着信メロディ用コードを得ることが可能になる。
【００６０】
また、請求項２６の発明は、
バーコードと音符を関連付けた入力シート上の上記バーコードを読み取るバーコードリーダによる上記バーコードの読み取り組み合わせパターンにより、検索を所望する楽曲の主旋律データを生成する主旋律データ生成手段と、
上記主旋律データ生成手段によって生成された上記主旋律データをネットワークを介してサーバに送信することで、サーバに、楽曲の主旋律を抽出して符号化することで生成した主旋律コードファイルを多数蓄積するデータベースに蓄積された上記主旋律コードファイルの形式と同形式のコードファイルに上記主旋律データを変換させ、その変換された主旋律データのコードファイルと上記データベースに蓄積された多数の主旋律コードファイルとの照合を行なって対応する主旋律コードファイルを検索させ、その検索された主旋律コードファイルを携帯電話の着信メロディ用のコードに変換させる、送信手段と、
上記サーバから、上記着信メロディ用コードを上記ネットワークを介して受信する着メロ受信手段と、
を具備することを特徴する端末としたものである。
【００６１】
即ち、かかる端末によれば、バーコードリーダにより、バーコードと音符を関連付けた入力シート上の上記バーコードを読み取ることで、そのバーコードの読み取り組み合わせパターンにより、検索を所望する楽曲の主旋律データを生成し、これをサーバに送信することで検索が行なわれ、その検索された主旋律コードファイルから変換した携帯電話の着信メロディ用のコードが上記サーバから送られてくるようにしているので、歌が上手くない人であっても適切な検索キーが容易に作成でき、所望する楽曲の着信メロディ用コードを得ることが可能になる。
【００６２】
また、請求項２７の発明は、
上記サーバからの制御により、上記サーバに送信した上記主旋律データを音として再生出力する再生手段と、
上記サーバに送信した上記主旋律データを上記ネットワークを介して修正入力する修正手段と、
最初に送信した主旋律データまたは上記修正後の主旋律データによる検索を上記ネットワークを介して上記サーバに指示する指示手段と、
を更に具備することを特徴とする請求項１９乃至２６の何れかに記載の端末としたものである。
【００６３】
即ち、かかる端末によれば、入力された主旋律データを音として再生出力してユーザのイメージするものとなっているか否かを確認させ、イメージに合致するように修正した上で検索を実行するようにしているので、ユーザが所望する正しい楽曲がより検索されるようになる。
【００６４】
また、請求項２８の発明は、
上記データベースは、上記主旋律コードファイルのそれぞれについて、上記楽曲詳細情報に加えて、少なくとも当該楽曲を販売するオンラインショッピングサイトへのリンク情報及び当該楽曲の商品番号を含む購入先情報を蓄積しており、上記検索結果受信手段は、上記サーバより、上記検索された主旋律コードファイル及び楽曲詳細情報と共に、対応する購入先情報も受信し、
上記検索結果受信手段で受信した上記購入先情報に従って、上記検索された楽曲を販売するオンラインショッピングサイトに接続する自動接続手段を更に具備する、
ことを特徴とする請求項１９乃至２４の何れかに記載の端末としたものである。
【００６５】
即ち、かかる端末によれば、検索された楽曲を販売するオンラインショッピングサイトに自動的に接続されるようにしているので、ユーザの手間を省くことができる。
【００６６】
【発明の実施の形態】
以下、本発明の実施の形態を図面を参照して説明する。
【００６７】
［第１の実施の形態］
図１の（Ａ）は本発明の第１の実施の形態に係る楽曲検索システムの構成を示す図である。
【００６８】
即ち、インターネット等のネットワーク１を介して、複数のユーザ端末２、検索センタ３、オンラインショッピングサイト（以下、ｅ−ｓｈｏｐと称する。）４が接続可能に構成されている。
【００６９】
上記検索センタ３は、サーバ３Ａとデータベース（以下、ＤＢと略記する。）３Ｂ、及びＤＢ構築部３Ｃを備えている。
【００７０】
上記ＤＢ３Ｂは、上記ｅ−ｓｈｏｐ４や他の販売店で販売するＣＤ（Ｃｏｍｐａｃｔ　Ｄｉｓｃ）やＤＶＤ（Ｄｉｇｉｔａｌ　Ｖｅｒｓａｔｉｌｅ　Ｄｉｓｃ）等の記録媒体に記録されている楽曲の主旋律（メロディライン）を所定の符号化形式で符号化した主旋律コードファイルを、その関連情報と共に蓄積しているものである。ここで、上記関連情報としては、当該主旋律コードファイルの元となった楽曲の曲名、歌手名、当該楽曲が収録されている記録媒体のタイトル、製品番号、製作会社名、等を含む楽曲詳細情報と、上記ｅ−ｓｈｏｐ４へのリンク情報（インターネットアドレスであるＵＲＬ）、当該楽曲の製品番号（商品番号）、等を含む購入先情報が蓄積されている。
【００７１】
上記ＤＢ３Ｂに蓄積される主旋律コードファイルは、上記ＤＢ構築部３Ｃによって生成される。即ち、楽曲（記録媒体）を製作し、上記ｅ−ｓｈｏｐ４をネットワーク１上の仮想店舗として運用したり、他の販売店を通して楽曲を販売する楽曲製作会社５からの委託により、検索センタ３は上記ＤＢ構築部３Ｃにより、その委託された楽曲から主旋律コードファイルを生成して、上記ＤＢ３Ｂにその関連情報と共に蓄積するものである。
【００７２】
上記サーバ３Ａは、上記ユーザ端末２から上記ネットワーク１を介して入力された主旋律に該当する主旋律コードファイルを上記ＤＢ３Ｂから検索し、その検索結果を上記ユーザ端末２に出力するものである。また、そのような検索が有ったことを、上記ｅ−ｓｈｏｐ４に上記ネットワーク１を介して報告する機能も備えている。
【００７３】
上記ｅ−ｓｈｏｐ４は、ユーザ端末２からの上記ネットワーク１を介した注文に応じて、ユーザ所望の楽曲を収録した記録媒体を配送したり、或いは上記ネットワーク１を介して上記楽曲をダウンロードさせることで、楽曲の販売を行なうものである。なお、本実施の形態においては、このｅ−ｓｈｏｐ４は、特定の楽曲製作会社５の直営オンラインショッピングサイトであるとして説明するが、不特定多数の楽曲製作会社の楽曲を取り扱うオンラインショッピングサイトであっても構わないことは勿論である。
【００７４】
上記ユーザ端末２としては、上記ネットワーク１を介して上記検索センタ３のサーバ３Ａや上記ｅ−ｓｈｏｐ４へアクセスする機能を備えた携帯電話やパーソナルコンピュータ（以下、ＰＣと略記する。）が利用できる。この場合、上記主旋律を入力するための入力インタフェースとしては各種考えられ、これらを以下に説明する。
【００７５】
（１）　図１の（Ｂ）に示すように、携帯電話２Ａを使用する場合、その番号キー２Ａ１を利用して、主旋律を入力することができる。即ち、番号キー２Ａ１と音符との関係を予め設定しておき、その組み合わせパターンにより主旋律を入力する。
【００７６】
（２）　また、携帯電話２Ａを使用する場合、図１の（Ｃ）に示すように、当該携帯電話２Ａに接続したバーコードリーダ２Ｂを活用して、主旋律を入力することもできる。即ち、バーコード２Ｃ１と音符２Ｃ２とを関連づけた入力シート２Ｃを予め用意しておき、この入力シート２Ｃ上のバーコード２Ｃ１をバーコードリーダ２Ｂで読み込むことにより、音符入力を行なう。そして、この入力されたバーコードは音符情報に変換され、主旋律として携帯電話２Ａ内の不図示メモリに登録され、上記ネットワーク１を介して上記サーバ３Ａに送信されることになる。
【００７７】
（３）　上記（２）の場合と同様に、図１の（Ｄ）に示すように、ＰＣ２Ｄを使用する場合にも、当該ＰＣ２Ｄに接続したバーコードリーダ２Ｂを活用して、主旋律を入力することができる。
【００７８】
（４）　また、ＰＣ２Ｄを使用する場合、ブラウザ上からの入力することも可能である。即ち、ブラウザ上に、図１の（Ｅ）に示すように楽譜形式の入力が可能なインタフェースを準備する。
【００７９】
（５）　更に、図１の（Ｆ）に示すように、ＰＣ２Ｄで実行される音声認識ソフトウェア（以下、音声認識ソフトと略記する。）２Ｆを利用して主旋律を入力することもできる。即ち、テレビ番組やコマーシャル、ラジオ放送等から録音したサウンドファイル２Ｅから、音声認識ソフト２Ｆによって主旋律を抜き出し、主旋律データに変換する。
【００８０】
（６）　また、図１の（Ｇ）に示すように、楽器の音声を利用して主旋律を入力する方法もある。即ち、ユーザが楽器２Ｇにより楽曲を演奏し、その楽器２Ｇからの音声を、ＰＣ２Ｄに接続されたマイク２Ｈにより取り込み、上記（５）の場合と同様に音声認識ソフトによって主旋律を抜き出し、主旋律データに変換する。
【００８１】
（７）　あるいは、その楽器２Ｇが、楽曲演奏操作に応じて音声を表す信号を出力するコンピュータ入力用楽器である場合には、図１の（Ｈ）に示すように、その楽器２ＧをＰＣ２Ｄに直接接続して使用することができる。即ち、ユーザが楽器２Ｇにより楽曲を演奏することで、例えば鍵盤型の楽器であればその押されたキーのキー信号がＰＣ２Ｄに入力され、ＰＣ２Ｄはこの入力されたキー信号を主旋律データに変換する。
【００８２】
次に、以上のような構成における動作を、図２の（Ａ）の動作フローチャート及び図３の動作概念図を参照して説明する。
【００８３】
即ち、まず、楽曲製作会社５は、自社のＰＲしたい曲の主旋律（メロディラインの抽出を、検索センタ３に委託する（ステップＳ１）。
【００８４】
検索センタ３は、ＤＢ構築部３Ｃにより、上記委託された楽曲の主旋律を抽出し、その抽出した主旋律を符号化することで、主旋律コードファイルを生成する（ステップＳ２）。そして、その生成した主旋律コードファイルを、その関連情報と共にＤＢ３Ｂに登録する（ステップＳ３）。このように、該ＤＢ構築部３Ｃは、主旋律抽出手段、符号化手段、及び登録手段としての機能を備える。
【００８５】
こうして、ＤＢ３Ｂに主旋律コードファイルが蓄積されたならば、検索センタ３は、上記サーバ３Ａにアクセスすることで検索・照合・閲覧・試聴が可能なシステムを一般に公開する（ステップＳ４）。即ち、音楽検索データベースとして管理・運用する。
【００８６】
ユーザは、ユーザ端末２により上記検索センタ３のサーバ３Ａにアクセスし、前述したような入力インタフェースを利用して主旋律を入力し、その主旋律データをサーバ３Ａに送信する。サーバ３Ａは、この主旋律データを受信し（ステップＳ５）、その受信した主旋律データを上記ユーザ端末２により再生出力することで、ユーザは入力した主旋律が自分のイメージと合致するかシミュレーションすることができる（ステップＳ６）。このように、該サーバ３Ａは、主旋律データ受信手段及び再生手段としての機能を備える。ここで、そのシミュレーションした結果がイメージと合致しなかった場合（ステップＳ７）、上記ステップＳ５に戻って、ユーザは主旋律データを修正する。こうして、ユーザのイメージと合致するまで、シミュレーションが繰り返される。
【００８７】
而して、ユーザは作成した主旋律データが自分のイメージと合致したならば、その主旋律データでの検索をサーバ３Ａに指示し、それに応じて、サーバ３Ａは、その主旋律データを、上記ＤＢ３Ｂに蓄積されている主旋律コードファイルと同様の符号化形式の検索用コードファイルに変換した上で（ステップＳ８）、ＤＢ３Ｂの検索を実行する（ステップＳ９）。このように、該サーバ３Ａは、変換手段及び検索手段としての機能を備える。
【００８８】
そして、その検索結果を、その関連情報と共にユーザ端末２に送信する（ステップＳ１０）。このように、該サーバ３Ａは、検索結果出力手段としての機能を備える。また、これと共に、そのような検索が行なわれたことを上記ｅ−ｓｈｏｐ４に上記ネットワーク１を介して通知することで、上記ｅ−ｓｈｏｐ４に対し課金を行なう（ステップＳ１１）。このｅ−ｓｈｏｐ４への通知は、本実施の形態においては、当該検索サービスの使用料金を上記ｅ−ｓｈｏｐ４が支払うことになっているため行なうもので、この検索サービスの使用料金をユーザや楽曲製作会社５が支払うように該楽曲検索システムを構成した場合には、このｅ−ｓｈｏｐ４への通知に代えて、それらへの課金処理とする必要が有る。但しその場合も、上記ｅ−ｓｈｏｐ４への通知を行なえば、上記ｅ−ｓｈｏｐ４では、ユーザが当該サービスを利用してアクセスしてきたのか否かを知ることができ、統計的な資料に利用できるようになる。このように、該サーバ３Ａは、通知手段としての機能を備える。
【００８９】
ユーザは、上記検索センタ３のサーバ３Ａから送信されてきた検索結果により、それが所望の楽曲であれば、同様に送信されてきた関連情報に基づいて、その楽曲を購入できる。即ち、関連情報には、前述したように上記ｅ−ｓｈｏｐ４のＵＲＬや当該楽曲の製品番号（商品番号）を含む購入先情報が含まれており、このＵＲＬにより上記ネットワーク１を介して上記ｅ−ｓｈｏｐ４に自動的にアクセスし、上記ｅ−ｓｈｏｐ４で上記楽曲を収録したＣＤやＤＶＤ等を購入する（ステップＳ１２）。このように、上記ユーザ端末２は、自動接続手段としての機能を備えているものである。
【００９０】
図４は、上記ユーザ端末２とサーバ３Ａとの間の通信の様子を示す図である（同図において、データの流れは破線の矢印で示している）。
【００９１】
即ち、ユーザ端末２は、前述の入力インタフェースを用いて主旋律を入力し、主旋律データをサーバ３Ａに送信する。このように、該ユーザ端末２は、主旋律データ生成手段及び主旋律データ送信手段としての機能を備える。なお、上記入力される主旋律は、楽曲の全部ではなく、その楽曲の少なくとも一部の主旋律が含まれていれば良い。この動作は、上記ステップＳ５に相当するものである。
【００９２】
サーバ３Ａは、この入力された主旋律データを再生する。つまり、主旋律データに基づいて音声を発生し、それをユーザ端末２に送信することで、ユーザ端末２の不図示スピーカ等からその音声を出力させる。このように、該ユーザ端末２は、再生出力手段としての機能を備えている。ユーザは、この音声を試聴し、自分のイメージに合致しない場合には、主旋律の再入力または修正を行なって、再入力したまたは修正した主旋律データをサーバ３Ａに送信する。このように、該ユーザ端末２は、修正手段としての機能を備えている。このような再生と再入力または修正を繰り返していくことで、ユーザ所望の主旋律データを得る。これが、上記ステップＳ６に相当する動作である。
【００９３】
そして、ユーザは自分のイメージに合致する主旋律データが得られたならば、その主旋律を検索キーとして確定し、ユーザ端末２によりサーバ３Ａに検索を指示する。これが、上記ステップＳ７に相当するものである。このように、該ユーザ端末２は、指示手段としての機能を備えている。
【００９４】
この検索指示に応じて、サーバ３Ａは、入力された（または修正された）主旋律データを検索用コードファイルに変換して、ＤＢ３Ｂの検索を行なう。これが、上記ステップＳ８及びＳ９に相当する動作である。
【００９５】
そして、サーバ３Ａは、検索結果及び関連情報を上記ユーザ端末２に送信して、曲名、歌手名、ｅ−ｓｈｏｐ４のＵＲＬ等の関連情報を表示させる。つまり、上記ユーザ端末２は、検索結果受信手段としての機能を備えるものである。なお、上記検索結果とは、検索された主旋律コードファイルそのものではなく、それを主旋律データとして復号化したものである。勿論、上記ユーザ端末２が復号化機能を備えている場合には、検索された主旋律コードファイルそのものを送信しても良い。この動作が、上記ステップＳ１０に相当するものである。
【００９６】
ユーザは、この送信されてきた主旋律を試聴して検索結果を確認し、所望の楽曲であれば、リンク先のｅ−ｓｈｏｐ４でＣＤ等の購入を実行する。これは、上記ステップＳ１２に相当する動作である。
【００９７】
以上のように、本第１の実施の形態によれば、歌が上手くない人であっても適切な検索キーが容易に作成でき、所望する楽曲についての情報が得られる。
【００９８】
また、ＤＢ３Ｂには楽曲のデータそのものが蓄積されるのではなく、その楽曲から主旋律を抽出し符号化した主旋律コードファイルが蓄積されるので、データ容量が小さいため、１つのサーバ３Ａで多くのデータを扱うことができ、更には、ネットワーク１上での伝送効率も高い。
【００９９】
そして、主旋律（メロディライン）から音楽情報の検索を行なうので、楽曲に対する文字情報がない場合でも音声情報を元にして曲の検索を行なうことができ、しかも、検索にはシンプルな主旋律を用いるため、検索精度が高いこと、検索処理速度が高いことが予想される。
【０１００】
［第２の実施の形態］
次に、本発明の第２の実施の形態を説明する。
【０１０１】
本第２の実施の形態に係る楽曲検索システムの構成は、上記第１の実施の形態の構成からｅ−ｓｈｏｐ４を削除し、また、ユーザ端末２としては携帯電話２Ａに特化したものであり、その他は上記第１の実施の形態と同様であるので、その説明は省略する。
【０１０２】
図２の（Ｂ）は、本第２の実施の形態の動作フローチャートである。
【０１０３】
即ち、まず、楽曲製作会社５は、自社の提供したい楽曲の主旋律（メロディラインの抽出を、検索センタ３に委託する（ステップＳ１）。
【０１０４】
検索センタ３は、ＤＢ構築部３Ｃにより、上記委託された楽曲の主旋律を抽出し、その抽出した主旋律を符号化することで、主旋律コードファイルを生成する（ステップＳ２）。そして、その生成した主旋律コードファイルを、その関連情報と共にＤＢ３Ｂに登録する（ステップＳ３）。
【０１０５】
こうして、ＤＢ３Ｂに主旋律コードファイルが蓄積されたならば、検索センタ３は、上記サーバ３Ａにアクセスすることで検索・照合・閲覧・試聴が可能なシステムを一般に公開する（ステップＳ４）。即ち、音楽検索データベースとして管理・運用する。
【０１０６】
ユーザは、ユーザ端末２としての携帯電話２Ａにより上記検索センタ３のサーバ３Ａにアクセスし、前述したような入力インタフェースを利用して主旋律を入力し、その主旋律データをサーバ３Ａに送信する。サーバ３Ａは、この主旋律データを受信し（ステップＳ５）、その受信した主旋律データを上記携帯電話２Ａにより再生出力することで、ユーザは入力した主旋律が自分のイメージと合致するかシミュレーションすることができる（ステップＳ６）。ここで、そのシミュレーションした結果がイメージと合致しなかった場合（ステップＳ７）、上記ステップＳ５に戻って、ユーザは主旋律データを修正する。こうして、ユーザのイメージと合致するまで、シミュレーションが繰り返される。
【０１０７】
而して、ユーザは作成した主旋律データが自分のイメージと合致したならば、その主旋律データでの検索をサーバ３Ａに指示し、それに応じて、サーバ３Ａは、その主旋律データを、上記ＤＢ３Ｂに蓄積されている主旋律コードファイルと同様の符号化形式の検索用コードファイルに変換した上で（ステップＳ８）、ＤＢ３Ｂの検索を実行する（ステップＳ９）。
【０１０８】
そして、サーバ３Ａは、その検索した主旋律コードファイルを、携帯電話２Ａの着信メロディ用のコードに変換する（ステップＳ１３）。このように、該サーバ３Ａは、着メロ変換手段としての機能を備える。そして、その変換した着信メロディ用コードを上記携帯電話２Ａに送信する（ステップＳ１４）。この送信は、例えば、上記携帯電話２Ａへの電子メールに上記着信メロディ用コードを添付することで行なうことができる。この着信メロディ用コードを受信した上記携帯電話２Ａは、周知のように、自機の着信メロディとしてそれを登録することができる。このように、上記携帯電話２Ａは、着メロ受信手段の機能を備えるものである。
【０１０９】
そして、当該サービスの利用料金の課金処理を上記携帯電話２Ａのユーザに対して行なう（ステップＳ１５）。
【０１１０】
なお、上記楽曲製作会社５への楽曲提供料金としては、１曲当たりの料金としても良いし、上記着信メロディ用コードの提供毎に料金を支払うものであっても良い。前者の場合は、上記ステップＳ１での委託の際に支払を行なえば良く、後者の場合には、上記ステップＳ１５でのユーザへの課金処理において同時に楽曲製作会社５への支払処理を行なえば良い。また、楽曲製作会社５が上記検索センタ３を運営しても良いことは勿論である。
【０１１１】
以上のように、本第２の実施の形態によれば、歌が上手くない人であっても適切な検索キーが容易に作成でき、所望する楽曲に相当する携帯電話の着信メロディ用コードを入手することが可能になる。
【０１１２】
［第３の実施の形態］
次に、本発明の第３の実施の形態を説明する。
【０１１３】
前述の第１の実施の形態では、ユーザ端末２での主旋律の入力後、該ユーザ端末２とサーバ３Ａとの間でやりとりを行うことでその入力した主旋律のデータを再生確認し、必要に応じて修正を行った上で、確定した主旋律データを用いて検索を行うようにしているが、本第３の実施の形態に係る楽曲検索システムは、確定するまでユーザ端末２はサーバ３Ａとの通信を行わず、主旋律データが確定してはじめてサーバ３Ａに主旋律データを送信するようにしたものである。
【０１１４】
図５は、本第３の実施の形態における上記ユーザ端末２とサーバ３Ａとの間の通信の様子を示す図である（同図において、データの流れは破線の矢印で示している）。
【０１１５】
即ち、ユーザ端末２は、前述の入力インタフェースを用いて主旋律を入力し、該ユーザ端末２において、その主旋律データを再生する。つまり、主旋律データに基づいて音声を不図示スピーカ等から出力する。ユーザは、この音声を試聴し、自分のイメージに合致しない場合には、主旋律の再入力または修正を行ない、その再入力または修正した主旋律データに基づく音声を試聴する。このような再生と再入力または修正を繰り返していくことで、ユーザ所望の主旋律データを得る。
【０１１６】
そして、ユーザは自分のイメージに合致する主旋律データが得られたならば、その主旋律を検索キーとして確定し、ユーザ端末２によりはじめて上記サーバ３Ａと接続して、上記サーバ３Ａに検索を指示する。
【０１１７】
この検索指示に応じて、サーバ３Ａは、入力された（または修正された）主旋律データを検索用コードファイルに変換して、ＤＢ３Ｂの検索を行なう。
【０１１８】
そして、サーバ３Ａは、検索結果及び関連情報を上記ユーザ端末２に送信して、曲名、歌手名、ｅ−ｓｈｏｐ４のＵＲＬ等の関連情報を表示させる。なお、上記検索結果とは、検索された主旋律コードファイルそのものではなく、それを主旋律データとして復号化したものである。勿論、上記ユーザ端末２が復号化機能を備えている場合には、検索された主旋律コードファイルそのものを送信しても良い。
【０１１９】
ユーザは、この送信されてきた主旋律を試聴して検索結果を確認し、所望の楽曲であれば、リンク先のｅ−ｓｈｏｐ４でＣＤ等の購入を実行する。
【０１２０】
以上のように、本第３の実施の形態によっても、上記第１の実施の形態と同様の効果が得られる。
【０１２１】
［第４の実施の形態］
前述の第２の実施の形態のような所望楽曲に相当する携帯電話２Ａの着信メロディ用コードの入手の場合においても、上記第３の実施の形態と同様、ユーザ端末２である携帯電話２Ａ側で主旋律データを再生確認し、確定してからサーバ３Ａに主旋律データを送信するようにしても良いことは勿論である。
【０１２２】
図６は、この場合の上記携帯電話２Ａとサーバ３Ａとの間の通信の様子を示す図である（同図において、データの流れは破線の矢印で示している）。
【０１２３】
即ち、携帯電話２Ａは、前述の入力インタフェースを用いて主旋律を入力し、該携帯電話２Ａにおいて、その主旋律データを再生する。つまり、主旋律データに基づいて音声を不図示スピーカ等から出力する。ユーザは、この音声を試聴し、自分のイメージに合致しない場合には、主旋律の再入力または修正を行ない、その再入力または修正した主旋律データに基づく音声を試聴する。このような再生と再入力または修正を繰り返していくことで、ユーザ所望の主旋律データを得る。
【０１２４】
そして、ユーザは自分のイメージに合致する主旋律データが得られたならば、その主旋律を検索キーとして確定し、携帯電話２Ａによりはじめて上記サーバ３Ａと接続して、上記サーバ３Ａに検索を指示する。
【０１２５】
この検索指示に応じて、サーバ３Ａは、入力された（または修正された）主旋律データを検索用コードファイルに変換して、ＤＢ３Ｂの検索を行なう。
【０１２６】
そして、サーバ３Ａは、その検索した主旋律コードファイルを、携帯電話２Ａの着信メロディ用のコードに変換し、その変換した着信メロディ用コードを上記携帯電話２Ａに送信する。
【０１２７】
この着信メロディ用コードを受信した上記携帯電話２Ａは、周知のように、自機の着信メロディとしてそれを登録する。
【０１２８】
以上のように、本第４の実施の形態によっても、上記第２の実施の形態と同様の効果が得られる。
【０１２９】
以上実施の形態に基づいて本発明を説明したが、本発明は上述した実施の形態に限定されるものではなく、本発明の要旨の範囲内で種々の変形や応用が可能なことは勿論である。
【０１３０】
例えば、上記ユーザ端末２で共通の主旋律データを作成してサーバ３Ａに送信するようにしているが、サーバ３Ａ側で各ユーザ端末２の形式に合わせた主旋律データへの変換機能を備えることで、ユーザ端末２からは独自の形式で入力主旋律を送信することができる。
【０１３１】
【発明の効果】
請求項１の発明によれば、携帯電話の番号キーの組み合わせ入力パターンにより、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【０１３２】
また、請求項２の発明によれば、携帯電話に接続したバーコードリーダにより、バーコードと音符を関連付けた入力シート上の上記バーコードを読み取ることで、そのバーコードの読み取り組み合わせパターンにより、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【０１３３】
また、請求項３の発明によれば、パーソナルコンピュータに接続したバーコードリーダにより、バーコードと音符を関連付けた入力シート上の上記バーコードを読み取ることで、そのバーコードの読み取り組み合わせパターンにより、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【０１３４】
また、請求項４の発明によれば、パーソナルコンピュータにより、楽譜形式の入力が可能なユーザインターフェースを備えたＷｅｂページを表示し、上記ユーザインターフェースにより入力された楽譜から、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【０１３５】
また、請求項５の発明によれば、パーソナルコンピュータで、検索を所望する楽曲の少なくとも一部を含むサウンドファイルから音声認識により主旋律を抽出して、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【０１３６】
また、請求項６の発明によれば、楽曲演奏用の楽器によって演奏されている検索を所望する楽曲の音をパーソナルコンピュータに入力し、音声認識により上記入力した楽曲の音から主旋律を抽出して、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【０１３７】
また、請求項７の発明によれば、楽曲演奏操作に応じて音を表す信号を出力するコンピュータ入力用楽器での検索を所望する楽曲の演奏に伴って上記コンピュータ入力用楽器から入力された信号に従って、パーソナルコンピュータで、検索を所望する楽曲の主旋律データを生成し、この生成された主旋律データを、データベースに蓄積された主旋律コードファイルの形式と同形式のコードファイルに変換して、検索キーとして使用するようにしているので、歌が上手くない人であっても適切な検索キーが容易に作成でき、所望する楽曲についての情報が得られるようになる。
【０１３８】
また、請求項８の発明によれば、携帯電話の番号キーの組み合わせ入力パターンにより、検索を所望する楽曲の主旋律データを生成し、この生成された主旋律データを、データベースに蓄積された主旋律コードファイルの形式と同形式のコードファイルに変換して、検索キーとして使用してデータベースの検索を実行し、検索された主旋律コードファイルを、上記携帯電話の着信メロディ用のコードに変換して上記携帯電話に送信するようにしているので、歌が上手くない人であっても適切な検索キーが容易に作成でき、所望する楽曲の着信メロディ用コードを得ることが可能になる。
【０１３９】
また、請求項９の発明によれば、携帯電話に接続したバーコードリーダにより、バーコードと音符を関連付けた入力シート上の上記バーコードを読み取ることで、そのバーコードの読み取り組み合わせパターンにより、検索を所望する楽曲の主旋律データを生成し、この生成された主旋律データを、データベースに蓄積された主旋律コードファイルの形式と同形式のコードファイルに変換して、検索キーとして使用してデータベースの検索を実行し、検索された主旋律コードファイルを、上記携帯電話の着信メロディ用のコードに変換して上記携帯電話に送信するようにしているので、歌が上手くない人であっても適切な検索キーが容易に作成でき、所望する楽曲の着信メロディ用コードを得ることが可能になる。
【０１４０】
また、請求項１０の発明によれば、楽曲から主旋律を抽出し符号化した主旋律コードファイルをデータベースに蓄積するようにしているので、データ容量が小さいため、１つのサーバで多くのデータを扱うことができ、更には、ネットワーク上での伝送効率も高くすることかできる。
【０１４１】
また、請求項１１の発明によれば、入力された主旋律データを音として再生出力してユーザのイメージするものとなっているか否かを確認させ、イメージに合致するように修正した上で検索を実行するようにしているので、ユーザが所望する正しい楽曲がより検索されるようになる。
【０１４２】
また、請求項１２の発明によれば、検索された楽曲を販売するオンラインショッピングサイトにユーザの端末を自動的に接続させるようにしているので、ユーザの手間を省くことができる。
【０１４３】
また、請求項１３の発明によれば、検索されたことをオンラインショッピングサイトに通知するようにしているので、当該検索サービスを利用したユーザのアクセスをオンラインショッピングサイト側で知ることができるようになる。これにより、例えば当該検索サービスの利用料金をユーザからではなくオンラインショッピングサイト側から徴収することも可能となる。
【０１４４】
また、請求項１４の発明によれば、端末から検索を所望する楽曲の主旋律データを受信し、それを、データベースに蓄積された主旋律コードファイルの形式と同形式のコードファイルに変換して、検索キーとして使用するようにしているので、ユーザは所望する楽曲についての情報が容易に得られるようになる。また、データベースには、楽曲から主旋律を抽出し符号化した主旋律コードファイルを蓄積するようにしているので、データ容量が小さいため、１つのサーバで多くのデータを扱うことができ、更には、ネットワーク上での伝送効率も高くすることかできる。
【０１４５】
また、請求項１５の発明によれば、端末から検索を所望する楽曲の主旋律データを受信し、それを、データベースに蓄積された主旋律コードファイルの形式と同形式のコードファイルに変換して、検索キーとして使用してデータベースの検索を実行し、検索された主旋律コードファイルを、上記携帯電話の着信メロディ用のコードに変換して上記携帯電話に送信するようにしているので、ユーザは所望する楽曲の着信メロディ用コードを容易に得ることが可能になる。
【０１４６】
また、請求項１６の発明によれば、入力された主旋律データを音として再生出力してユーザのイメージするものとなっているか否かを確認させ、イメージに合致するように修正した上で検索を実行するようにしているので、ユーザが所望する正しい楽曲がより検索されるようになる。
【０１４７】
また、請求項１７の発明によれば、検索された楽曲を販売するオンラインショッピングサイトにユーザの端末を自動的に接続させるようにしているので、ユーザの手間を省くことができる。
【０１４８】
また、請求項１８の発明によれば、検索されたことをオンラインショッピングサイトに通知するようにしているので、当該検索サービスを利用したユーザのアクセスをオンラインショッピングサイト側で知ることができるようになる。これにより、例えば当該検索サービスの利用料金をユーザからではなくオンラインショッピングサイト側から徴収することも可能となる。
【０１４９】
また、請求項１９の発明によれば、番号キーの組み合わせ入力パターンにより、検索を所望する楽曲の主旋律データを生成し、これをサーバに送信することで検索が行なわれるようにしているので、歌が上手くない人であっても適切な検索キーが容易に作成でき、所望する楽曲についての情報が得られるようになる。
【０１５０】
また、請求項２０の発明によれば、バーコードリーダにより、バーコードと音符を関連付けた入力シート上の上記バーコードを読み取ることで、そのバーコードの読み取り組み合わせパターンにより、検索を所望する楽曲の主旋律データを生成し、これをサーバに送信することで検索が行なわれるようにしているので、歌が上手くない人であっても適切な検索キーが容易に作成でき、所望する楽曲についての情報が得られるようになる。
【０１５１】
また、請求項２１の発明によれば、楽譜形式の入力が可能なユーザインターフェースを備えたＷｅｂページを表示し、上記ユーザインターフェースにより入力された楽譜から、検索を所望する楽曲の主旋律データを生成し、これをサーバに送信することで検索が行なわれるようにしているので、歌が上手くない人であっても適切な検索キーが容易に作成でき、所望する楽曲についての情報が得られるようになる。
【０１５２】
また、請求項２２の発明によれば、検索を所望する楽曲の少なくとも一部を含むサウンドファイルから音声認識により主旋律を抽出して、検索を所望する楽曲の主旋律データを生成し、これをサーバに送信することで検索が行なわれるようにしているので、歌が上手くない人であっても適切な検索キーが容易に作成でき、所望する楽曲についての情報が得られるようになる。
【０１５３】
また、請求項２３の発明によれば、楽曲演奏用の楽器によって演奏されている検索を所望する楽曲の音を入力し、音声認識により上記入力した楽曲の音から主旋律を抽出して、検索を所望する楽曲の主旋律データを生成し、これをサーバに送信することで検索が行なわれるようにしているので、歌が上手くない人であっても適切な検索キーが容易に作成でき、所望する楽曲についての情報が得られるようになる。
【０１５４】
また、請求項２４の発明によれば、楽曲演奏操作に応じて音を表す信号を出力するコンピュータ入力用楽器での検索を所望する楽曲の演奏に伴って上記コンピュータ入力用楽器から入力された信号に従って、検索を所望する楽曲の主旋律データを生成し、これをサーバに送信することで検索が行なわれるようにしているので、歌が上手くない人であっても適切な検索キーが容易に作成でき、所望する楽曲についての情報が得られるようになる。
【０１５５】
また、請求項２５の発明によれば、番号キーの組み合わせ入力パターンにより、検索を所望する楽曲の主旋律データを生成し、これをサーバに送信することで検索が行なわれ、その検索された主旋律コードファイルから変換した携帯電話の着信メロディ用のコードが上記サーバから送られてくるようにしているので、歌が上手くない人であっても適切な検索キーが容易に作成でき、所望する楽曲の着信メロディ用コードを得ることが可能になる。
【０１５６】
また、請求項２６の発明によれば、バーコードリーダにより、バーコードと音符を関連付けた入力シート上の上記バーコードを読み取ることで、そのバーコードの読み取り組み合わせパターンにより、検索を所望する楽曲の主旋律データを生成し、これをサーバに送信することで検索が行なわれ、その検索された主旋律コードファイルから変換した携帯電話の着信メロディ用のコードが上記サーバから送られてくるようにしているので、歌が上手くない人であっても適切な検索キーが容易に作成でき、所望する楽曲の着信メロディ用コードを得ることが可能になる。
【０１５７】
また、請求項２７の発明によれば、入力された主旋律データを音として再生出力してユーザのイメージするものとなっているか否かを確認させ、イメージに合致するように修正した上で検索を実行するようにしているので、ユーザが所望する正しい楽曲がより検索されるようになる。
【０１５８】
また、請求項２８の発明によれば、検索された楽曲を販売するオンラインショッピングサイトに自動的に接続されるようにしているので、ユーザの手間を省くことができる。
【図面の簡単な説明】
【図１】（Ａ）は本発明の第１の実施の形態に係る楽曲検索システムの構成を示す図であり、（Ｂ）乃至（Ｈ）はそれぞれユーザ端末としての携帯電話やパーソナルコンピュータでの入力インタフェースを説明するための図である。
【図２】（Ａ）は第１の実施の形態に係る楽曲検索システムの動作フローチャートを示す図であり、（Ｂ）は本発明の第２の実施の形態に係る楽曲検索システムの動作フローチャートを示す図である。
【図３】第１の実施の形態に係る楽曲検索システムの動作概念図である。
【図４】第１の実施の形態におけるユーザ端末とサーバとの間の通信の様子を示す図である。
【図５】本発明の第３の実施の形態に係る楽曲検索システムにおけるユーザ端末とサーバとの間の通信の様子を示す図である。
【図６】本発明の第４の実施の形態に係る楽曲検索システムにおけるユーザ端末としての携帯電話とサーバとの間の通信の様子を示す図である。
【符号の説明】
１　　　ネットワーク
２　　　ユーザ端末
２Ａ　　　携帯電話
２Ａ１　　　番号キー
２Ｂ　　　バーコードリーダ
２Ｃ　　　入力シート
２Ｃ１　　　バーコード
２Ｃ２　　　音符
２Ｄ　　　パーソナルコンピュータ（ＰＣ）
２Ｅ　　　サウンドファイル
２Ｆ　　　音声認識ソフト
２Ｇ　　　楽器
２Ｈ　　　マイク
３　　　検索センタ
３Ａ　　　サーバ
３Ｂ　　　データベース（ＤＢ）
３Ｃ　　　ＤＢ構築部
４　　　オンラインショッピングサイト（ｅ−ｓｈｏｐ）
５　　　楽曲製作会社
【図１】
2004094424.tif 000003
【図２】
2004094424.tif 000004
【図３】
2004094424.tif 000005
【図４】
2004094424.tif 000006
【図５】
2004094424.tif 000007
【図６】
2004094424.tif 000008